(57)【特許請求の範囲】
【請求項１】
金属製の枠体と、該枠体に取り付けられた回路基板と、中心部に中心導体を取り付けた絶縁被覆上に外部導体を設けた同軸ケーブルとを備え、前記外部導体の一部を覆うように、金属からなる筒状部材を設け、該筒状部材を前記枠体の孔に挿通して、前記筒状部材の外周部と前記枠体を半田付けしたことを特徴とする同軸ケーブルの取付構造。
【請求項２】
前記筒状部材の外周部と前記外部導体の外周部に跨って、熱収縮チューブを取り付けたことを特徴とする請求項１記載の同軸ケーブルの取付構造。
【請求項３】
前記回路基板にはアース用パターンを有し、このアース用パターンに前記外部導体と前記筒状部材とを半田付けしたことを特徴とする請求項１、又は２記載の同軸ケーブルの取付構造。
【発明の詳細な説明】
【０００１】
【発明の属する技術分野】
本発明は、ＣＡＴＶ用の送信機等に使用して好適な同軸ケーブルの取付構造に関する。
【０００２】
【従来の技術】
従来の同軸ケーブルの取付構造を、ＣＡＴＶ用の送信機に使用したものを例にして図３に基づいて説明すると、送信機の金属製のシャーシ２１内には、ＲＦ回路を含む電子回路が設けられた回路基板２２を収納した金属製の枠体２３が取り付けられている。
また、同軸ケーブル２４は、中心導体２５と、中心導体２５の外周を被覆する絶縁被覆２６と、この絶縁被覆２６上に設けられた網目状の外部導体２７で構成されている。
【０００３】
この同軸ケーブル２４の一端には、同軸コネクタ２８が取り付けられており、同軸コネクタ２８を取り付けた同軸ケーブル２４は、他端部が枠体２３の孔２３ａに挿通されている。
そして、中心導体２５が回路基板２２の配線パターン２２ａに半田付けされ、また、外部導体２７が回路基板２２のアース用パターン２２ｂに半田付けされると共に、外部導体２７が枠体２３の孔２３ａの位置で、枠体２３に半田付けされて、外部導体２７を接地するようになっている。
このような状態で、同軸コネクタ２８とシャーシ２１の孔２１ａが合うように、同軸ケーブル２４を折り曲げながら同軸コネクタ２８の位置決めを行った後、同軸コネクタ２８を孔２１ａに挿通して、同軸コネクタ２８をシャーシ２１に取り付けるようになっている。
【０００４】
そして、枠体２１に半田付けされた網目状の外部導体２７は、半田付けされた部分が固くなり、外部導体２７の柔軟性が損なわれて脆くなる。
このため、位置合わせ等のために同軸ケーブル２４を折り曲げると、半田付け部と非半田付け部の境目において、外部導体２７が折れるものであった。
【０００５】
【発明が解決しようとする課題】
従来の同軸ケーブルの取付構造において、同軸ケーブル２４の外部導体２７が枠体２３に半田付けされるものであるため、位置合わせ等のために同軸ケーブル２４を折り曲げると、半田付け部と非半田付け部の境目において、外部導体２７が折れるという問題がある。
【０００６】
【課題を解決するための手段】
上記課題を解決するための第１の解決手段として、金属製の枠体と、該枠体に取り付けられた回路基板と、中心部に中心導体を取り付けた絶縁被覆上に外部導体を設けた同軸ケーブルとを備え、前記外部導体の一部を覆うように、金属からなる筒状部材を設け、該筒状部材を前記枠体の孔に挿通して、前記筒状部材の外周部と前記枠体を半田付けした構成とした。
【０００７】
また、第２の解決手段として、前記筒状部材の外周部と前記外部導体の外周部に跨って、熱収縮チューブを取り付けた構成とした。
また、第３の解決手段として、前記回路基板にはアース用パターンを有し、このアース用パターンに前記外部導体と前記筒状部材とを半田付けした構成とした。
【０００８】
【発明の実施の形態】
本発明の同軸ケーブルの取付構造を図１，図２に基づいて説明すると、図１は本発明の同軸ケーブルの取付構造を示す説明図、図２は本発明の同軸ケーブルの取付構造を示す要部の断面図である。
【０００９】
次に、本発明の同軸ケーブルの取付構造を、ＣＡＴＶ用の送信機に使用したものを例にして図１，図２に基づいて説明すると、送信機の金属製のシャーシ１内には、ＲＦ回路を含む電子回路が設けられた回路基板２を収納した金属製の箱形の枠体３が取り付けられている。
また、同軸ケーブル４は、中心導体５と、中心導体５の外周を被覆する絶縁被覆６と、この絶縁被覆６上に設けられ、金属線を網目状に形成した外部導体７で構成されている。
【００１０】
また、外部導体７の外周の一部には、金属からなる筒状部材８が設けられると共に、合成樹脂からなる熱収縮チューブ９が筒状部材９と外部導体７とに跨って配設され、熱収縮チューブ９を熱によって収縮して、外部導体７の外周に筒状部材８が取り付けられている。
そして、この同軸ケーブル４の一端には、同軸コネクタ１０が取り付けられており、同軸コネクタ１０を取り付けた同軸ケーブ４は、同軸ケーブル４の他端部と共に筒状部材８が枠体３の孔３ａに挿通されている。
【００１１】
そして、中心導体５が回路基板２の配線パターン２ａに半田付けされ、また、外部導体７が回路基板２のアース用パターン２ｂに半田付けされると共に、筒状部材８の外周部が枠体３の孔３ａの位置で、枠体３に半田付けされて、筒状部材８が接地されると共に、筒状部材８を介して外部導体７が枠体３に接地されるようになっている。
【００１２】
このような状態で、同軸コネクタ１０とシャーシ１の孔１ａが合うように、同軸ケーブル４を折り曲げながら同軸コネクタ１０の位置決めを行った後、同軸コネクタ１０を孔１ａに挿通して、同軸コネクタ１０をシャーシ１に取り付けるようになっている。
【００１３】
このように、筒状部材８を枠体３に半田付けすると、外部導体７は半田付けによる柔軟性が損なわれず、このため、位置合わせ等のために同軸ケーブル４を折り曲げても、外部導体７が折れることがない。
【００１４】
なお、この実施例では、筒状部材８の取付のために熱収縮チューブ９を用いたもので説明したが、熱収縮チューブ９を用いず、筒状部材８の一部を外周から凹まして、筒状部材８を外部導体７上に取り付けるようにしても良い。
【００１５】
【発明の効果】
本発明の同軸ケーブルの取付構造において、同軸ケーブル４の外部導体７の一部を覆うように、金属からなる筒状部材８を設け、該筒状部材８を枠体３の孔３ａに挿通して、筒状部材８の外周部と枠体３を半田付けしたため、外部導体７は半田付けによる柔軟性が損なわれず、外部導体７の折れの無い同軸ケーブルの取付構造を提供できる。
従って、同軸ケーブル４の取り扱いが自由となり、折れを気にするこなく組み込みできて、生産性が良好となる。
【００１６】
また、筒状部材８の外周部と外部導体７の外周部に跨って、熱収縮チューブ９を取り付けたため、筒状部材８の取付を行うことができるばかりか、熱収縮チューブ９は柔軟性があり、同軸ケーブル４に折り曲げも容易となる。
また、回路基板２にはアース用パターン２ｂを有し、このアース用パターン２ｂに外部導体７と筒状部材８とを半田付けしたため、この半田によって筒状部材８の接地を良好にできると共に、この半田が筒状部材８の他端部まで至ることが無く、筒状部材８の他端部での外部導体７の柔軟性が保て、外部導体７の破損のない同軸ケーブルの取付構造を提供できる。
【図面の簡単な説明】
【図１】本発明の同軸ケーブルの取付構造を示す説明図。
【図２】本発明の同軸ケーブルの取付構造を示す要部の断面図。
【図３】従来の同軸ケーブルの取付構造を示す説明図。
【符号の説明】
１  シャーシ
１ａ  孔
２  回路基板
２ａ  配線パターン
２ｂ  アース用パターン
３  枠体
３ａ  孔
４  同軸ケーブル
５  中心導体
６  絶縁被覆
７  外部導体
８  筒状部材
９  熱収縮チューブ
１０  同軸コネクタ
【図１】
0003760061.tif 000002
【図２】
0003760061.tif 000003
【図３】
0003760061.tif 000004